(57)【特許請求の範囲】
【請求項１】
感知システムと、
感知−フロントエンド通信（ＳＦＣＭ）プロトコルを介して前記感知システムに連結されたフロントエンドシステムと、
フロントエンド−バックエンド通信（ＦＢＣＭ）プロトコルを介して前記フロントエンドシステムに連結されたバックエンドシステムと、
を備える健康監視システムにおいて、
前記感知システム内の少なくとも１つの感知通信（ＳＣＭ）タスクによって検出されたデータが、前記ＳＦＣＭプロトコルを介して前記フロントエンドシステムの少なくとも１つのフロントエンド通信（ＦＣＭ）タスクに直接伝達され、かつ前記ＦＢＣＭプロトコルを介してバックエンド通信（ＢＣＭ）プロセスに直接伝達されることによって、前記感知システム、フロントエンドシステム、およびバックエンドシステムのアーキテクチャに依存しない単一のデータ通信経路を提供することを特徴とする健康監視システム。
【請求項２】
請求項１に記載のシステムにおいて、前記少なくとも１つのＳＣＭタスクが、前記感知システムによって測定されたデータを処理する少なくとも１つのタスクを含むことを特徴とするシステム。
【請求項３】
請求項２に記載のシステムにおいて、前記ＳＦＣＭプロトコルが第１の状態認識リンクを用いて前記感知システムおよび前記フロントエンドシステムの双方と通信することを特徴とするシステム。
【請求項４】
請求項３に記載のシステムにおいて、前記ＦＢＣＭプロトコルが第２の状態認識リンクを用いて前記フロントエンドシステムおよび前記バックエンドシステムの双方と通信することを特徴とするシステム。
【請求項５】
請求項３に記載のシステムにおいて、前記感知システムの状態認識情報が検出され、前記検出された状態認識情報が前記第１の状態認識リンクを通じて前記少なくとも１つのＦＣＭタスクに伝達されることを特徴とするシステム。
【請求項６】
請求項４に記載のシステムにおいて、前記フロントエンドシステムの状態認識情報が検出され、前記検出された状態認識情報が前記第２の状態認識リンクを通じて前記ＢＣＭプロセスに伝達されることを特徴とするシステム。
【請求項７】
請求項６に記載のシステムにおいて、前記ＢＣＭプロセスが、前記検出された状態認識情報を使用して、前記少なくとも１つのＦＣＭタスクからデータを受信することを特徴とするシステム。
【請求項８】
請求項６に記載のシステムにおいて、前記ＢＣＭプロセスが、前記検出された状態認識情報を使用して、前記感知システムまたは前記フロントエンドシステムのいずれかとの接続をメッセージ表示し、確立することを特徴とするシステム。
【請求項９】
請求項１に記載のシステムにおいて、前記ＳＦＣＭプロトコルが、前記感知システムと前記フロントエンドシステムとの間での双方向通信プロトコルであり、前記ＦＢＣＭプロトコルが、前記フロントエンドシステムと前記バックエンドシステムとの間での双方向通信プロトコルであることを特徴とするシステム。
【請求項１０】
請求項１に記載のシステムにおいて、前記感知システムが、パッチ形態の身体バイタルサイン測定メトリクスの集合であることを特徴とするシステム。
【請求項１１】
身体の健康を監視するための方法において、
感知システムを提供することと、
感知−フロントエンド通信（ＳＦＣＭ）プロトコルを介してフロントエンドシステムを前記感知システムに連結することと、
フロントエンド−バックエンド通信（ＦＢＣＭ）プロトコルを介して前記フロントエンドシステムにバックエンドシステムを連結することと、
前記感知システムの少なくとも１つの感知通信（ＳＣＭ）タスクによってデータを検出することと、
前記検出されたデータを、前記ＳＦＣＭプロトコルを介して前記フロントエンドシステムの少なくとも１つのフロントエンド通信（ＦＣＭ）タスクに直接伝達し、かつ前記ＦＢＣＭプロトコルを介してバックエンド通信（ＢＣＭ）プロセスに直接伝達することにより、前記感知システム、フロントエンドシステム、およびバックエンドシステムのアーキテクチャに依存しない単一のデータ通信経路を提供することと、
を含むことを特徴とする方法。
【請求項１２】
請求項１１に記載の方法において、前記少なくとも１つのＳＣＭタスクが、前記感知システムによって測定されたデータを処理する少なくとも１つのタスクを含むことを特徴とする方法。
【請求項１３】
請求項１２に記載の方法がさらに、
前記ＳＦＣＭプロトコルによって、第１の状態認識リンクを用いて前記感知システムおよび前記フロントエンドシステムの双方と通信することを含むことを特徴とする方法。
【請求項１４】
請求項１３に記載の方法がさらに、
前記ＦＢＣＭプロトコルによって、第２の状態認識リンクを用いて前記フロントエンドシステムおよび前記バックエンドシステムの双方と通信することを含むことを特徴とする方法。
【請求項１５】
請求項１３に記載の方法がさらに、
前記感知システムの状態認識情報を検出することと、
前記検出された状態認識情報を、前記第１の状態認識リンクを通じて前記少なくとも１つのＦＣＭタスクに伝達することと、
を含むことを特徴とする方法。
【請求項１６】
請求項１４に記載の方法がさらに、
前記フロントエンドシステムの状態認識情報を検出することと、
前記検出された状態認識情報を、前記第２の状態認識リンクを通じて前記ＢＣＭプロセスに伝達することと、
を含むことを特徴とする方法。
【請求項１７】
請求項１６に記載の方法がさらに、
前記ＢＣＭプロセスにより、前記検出された状態認識情報を使用して前記少なくとも１つのＦＣＭタスクからデータを受信すること
を含むことを特徴とする方法。
【請求項１８】
請求項１６に記載の方法がさらに、
前記検出された状態認識情報を使用して、前記感知システムまたは前記フロントエンドシステムとの接続をメッセージ表示および確立すること
を含むことを特徴とする方法。
【請求項１９】
請求項１１に記載の方法において、前記ＳＦＣＭプロトコルが前記感知システムと前記フロントエンドシステムとの間での双方向通信プロトコルであり、前記ＦＢＣＭプロトコルが前記フロントエンドシステムと前記バックエンドシステムとの間での双方向通信プロトコルであることを特徴とする方法。
【発明の詳細な説明】
【技術分野】
【０００１】
本発明は、健康監視に関するものであり、特に、信頼できるスケーラブルな健康監視のためのシステムおよび方法に関するものである。
【背景技術】
【０００２】
監視システムは、個人の健康状態の監視など、各種用途で使用される。従来の健康監視システムは、基底のシステムや、センサ、記録システム、記憶装置などの装置部品の組合せを備えているのが典型的である。ソフトウェアが各装置部品のハードウェアと統合されており、従来の健康監視システムの各装置部品間でのデータ通信を支援する。
【０００３】
このような従来の健康監視システムは、装置部品ごとに所定のハードウェアおよびソフトウェア構造を有するのが典型的である。ただし、これらの装置部品の１つが新しいハードウェアで更新される、または、異なる装置部品と交換されると、データ通信が途絶え、各装置部品のハードウェアと統合されたソフトウェアを、時間と費用を要する従来の健康監視システムの新しい基底装置構成に合うように更新する必要がある。場合によっては、新しい基底装置構成に互換性がない、または、データ通信を復旧させるためのソフトウェア更新ができないために健康監視システム全体を交換する必要がある。
【０００４】
加えて、ある装置部品が別の装置部品の動作範囲外であることも、電源が故障するなどの技術的限界により、健康監視システム内でのデータ通信が遮断されることもある。このような状況では、データが受信される、または、送信が終了するまで、データ通信が再試行される。その結果、装置部品間でのデータ通信が、基底の健康監視システムインフラストラクチャから独立しない。
【０００５】
これらの問題により、健康監視システム内の装置部品の互換性とスケーラビリティが限定される。そのため、装置部品間に障害物のない通信経路を含み、基底アーキテクチャから完全に独立した、非常に信頼性が高く故障耐性に優れたスケーラブルな健康監視システムを作成することによって上記の問題を解決する費用対効果の高い解決策には大きなニーズがある。本発明は、かかるニーズに対応するものである。
【発明の概要】
【０００６】
健康監視システムおよび方法が開示されている。第１の態様では、健康監視システムが、感知システムと、感知システムに連結された感知−フロントエンドシステム間通信（ＳＦＣＭ）プロトコルと、を備えている。健康監視システムは、感知システムに連結されたフロントエンドシステムと、フロントエンドシステムに連結されたフロントエンド−バックエンドシステム間通信（ＦＢＣＭ）プロトコルと、を備えている。健康監視システムは、バックエンドシステムを備えている。ＳＦＣＭプロトコルは、第１の状態認識リンクを使用してフロントエンドシステムと通信し、ＦＢＣＭプロトコルは、第２の状態認識リンクを使用してバックエンドシステムと通信する。
【０００７】
第２の態様では、方法が、感知システムを提供することと、センサ−フロントエンドシステム間通信（ＳＦＣＭ）プロトコルを感知システムに連結することと、を含む。方法は、感知システムにフロントエンドシステムを連結することと、フロントエンド−バックエンドシステム間通信（ＦＢＣＭ）プロトコルをフロントエンドシステムに連結することを含む。方法は、フロントエンドシステムをバックエンドシステムに連結することを含む。方法は、第１の状態認識リンクを使用してＳＦＣＭプロトコルとフロントエンドシステムとの間でデータを通信することと、第２の状態認識リンクを使用してＦＢＣＭプロトコルとバックエンドシステムとの間でデータを通信することと、を含む。
【図面の簡単な説明】
【０００８】
添付の図面は、本発明のいくつかの実施形態を表しており、記載内容と共に、本発明の原理を説明する働きをする。当業者であれば、これらの図面に示された特定の実施形態が単なる例に過ぎず、本発明の範囲を限定することを意図するものでないことを認識するであろう。
【０００９】
【図１】図１は、一実施形態にかかる健康監視システムを表している。
【図２】図２は、一実施形態にかかるデータ通信経路のブロック図を表している。
【発明を実施するための形態】
【００１０】
本発明は、健康監視に関するものであり、特に、信頼できるスケーラブルな健康監視のためのシステムおよび方法に関するものである。以降の記述は、当業者が本発明を製作および使用できるようにする目的で提示され、特許出願およびその要件という文脈で提供されるものである。好適な実施形態に対する各種改変、ならびに本明細書に記載された一般原理および特徴は、当業者にとって容易に明らかであろう。そのため、本発明は、示されている実施形態に限定されることを意図するものではなく、本明細書に記載された原理および特徴と矛盾しない最も広い範囲に一致するものとする。
【００１１】
本発明にかかるシステムおよび方法は、フロントエンドシステムに論理的に接続し、ひいてはバックエンドシステムに論理的に接続する複数の感知システムを想定している。これらの接続により、健康監視システムの基底アーキテクチャから独立している障害物のないデータ通信経路を有する健康監視システムが作成される。状態認識方法と状態認識リンクとを感知システム、フロントエンドシステム、およびバックエンドシステムに利用することにより、相当数のアクティブユーザをサポートできる、非常に信頼性が高くスケーラブルな健康監視システムが達成される。
【００１２】
本発明の特徴をさらに詳しく説明するために、以降の記述について、添付の図面と共に言及する。
【００１３】
健康監視システム：
図１は、一実施形態にかかる健康監視システム１００を表している。健康監視システム１００は、感知システム１０２と、感知システム１０２に連結されたフロントエンドシステム１０４と、フロントエンドシステム１０４に連結されたバックエンドシステム１０６と、を備えている。感知システム１０２は、感知−フロントエンドシステム間通信（ＳＦＣＭ）プロトコル１２２に連結されたセンサ１２０を備えている。フロントエンドシステム１０４は、フロントエンド−バックエンドシステム間通信（ＦＢＣＭ）プロトコル１４２に連結されたインターフェイス１４０を備えており、バックエンドシステム１０６はサーバ１６０を備えている。
【００１４】
ＳＦＣＭプロトコル１２２は、第１の状態認識リンクを使用してフロントエンドシステム１０４と通信し、ＦＢＣＭプロトコル１４２は、第２の状態認識リンクを使用してバックエンドシステムと通信する。これらの状態認識リンクにより、健康監視システム１００内の各システムが、互いのシステムの基底アーキテクチャを検出および理解し、システム間での通信を再確立することができる。
【００１５】
当業者であれば、状態認識リンクが、状態認識情報、送信されたデータ、送信装置および受信装置の両方の状況または状態を含むがこれに限定されないさまざまなタイプのデータを検出および理解できることを容易に認識する。送信装置および受信装置の両方の状況または状態に関連するデータは、装置の種類、リビジョン、モード、およびデータ状態に関する情報を含むが、それらに限定されない。
【００１６】
装置の種類情報は、存在する物理ハードウェアセンサの数と、感知データが結合されて最終的なデータ形式を形成する方法と、を含み得る。装置のリビジョン情報は、感知ハードウェアまたはファームウェアのデータ形式バージョン、あるいはプロトコルスタックｉＤを含み得る。装置のモード情報は、再試行と、エラー回復と、データ損失と、正常と、アラートと、アップグレード待機中と、を含み得ることに加え、顧客プロファイルモードを必要とし得る。データステータス情報は、完全に暗号化されたデータ、重要なデータプロファイル、あるいは壊れているが回復可能なデータを含み得る。
【００１７】
当業者であれば、センサ１２０、インターフェイス１４０、およびサーバ１６０が、ワイヤレスセンサ、パッチ形態の身体バイタルサイン測定メトリクスの集合、スマートリレー、携帯電話、モバイル機器、アプリケーション、およびデータベースサーバを含むがこれらに限定されず、本発明の精神および範囲内である各種装置を含み得るということを容易に認識する。
【００１８】
センサ１２０は、システム・オンチップ・ハードウェア（ＳＯＣ  ＨＷ）１２４と、リアルタイム・オペレーティング・システム（ＲＴＯＳ）１２６と、ハードウェア層抽象化１２８と、少なくとも１つのデバッグ層１３０と、テストモジュール１３２と、デバイスドライバ１３４と、ＳＦＣＭプロトコル１２２に連結された少なくとも１つの感知通信（ＳＣＭ）タスク１３６と、を含む。一実施形態では、少なくとも１つのＳＣＭタスク１３６が、少なくとも１つの計算タスクを含む。当業者であれば、ＳＯＣ  ＨＷ１２４、ＲＴＯＳ  １２６、ハードウェア層抽象化１２８、少なくとも１つのデバッグ層１３０、テストモジュール１３２、デバイスドライバ１３４、および少なくとも１つのＳＣＭタスクが、各種異なる方法および構成で互いに連結できるか、あるいはスタンドアロン装置であって良く、それが本発明の精神および範囲内であると容易に認識する。
【００１９】
インターフェイス１４０は、オペレーティングシステム（ＯＳ）プラットフォーム１４４と、デバイスドライバ１４６と、少なくとも１つの診断層１４８と、ＦＢＣＭプロトコル１４２に連結された少なくとも１つのフロントエンドシステム間通信（ＦＣＭ）タスク１５０と、パーソナル緊急応答システム（ＰＥＲＳ）１５２と、ユーザインターフェイス（ＵＩ）１５４と、を含む。ＯＳプラットフォーム１４４は、独立したＯＳプラットフォームを含むがそれらに限定されない各種オペレーティングシステムをサポートすることができる。当業者であれば、ＯＳプラットフォーム１４４、デバイスドライバ１４６、少なくとも１つの診断層１４８、少なくとも１つのＦＣＭタスク１５０、ＰＥＲＳ  １５２、およびＵＩ  １５４が、各種異なる方法および構成で互いに連結することも、スタンドアロン装置とすることもでき、それが本発明の精神および範囲内であることを容易に認識する。
【００２０】
サーバ１６０は、ハードウェア（ＨＷ）プラットフォーム１６２と、オペレーティングシステム（ＯＳ）１６４と、データベース管理者（ＤＢＡ）１６６と、通信（ＣＯＭＭ）チャネルドライバ１６８と、少なくとも１つの診断層１７０と、ＦＢＣＭプロトコル１４２に連結されたＢＣＭプロセス１７２と、アプリケーション・プログラミング・インターフェイス（ＡＰＩ）１７４と、ユーザインターフェイス（ＵＩ）１７６と、を備えている。ＡＰＩ  １７４は、カスタムまたはパートナー・ユーザ・インターフェイスをサポートすることができる。当業者であれば、ＨＷプラットフォーム１６２、ＯＳ  １６４、ＤＢＡ  １６６、ＣＯＭＭチャネルドライバ１６８、少なくとも１つの診断層１７０、ＢＣＭプロセス１２７、ＡＰＩ  １７４、およびＵＩ  １７６が、各種異なる方法および構成で互いに連結することも、スタンドアロン装置とすることもでき、それが本発明の精神および範囲内であることを容易に認識する。
【００２１】
感知システム：
ＲＴＯＳ  １２６は、ログ記録、障害復旧時の自己リセット、およびすべてのハードウェアレジスタの抽出化が強制的にタイムアウトになるように、タスクデッドロックを有することを含むがそれに限定されない各種機能を備えているため、ビット／レジスタの直接アクセスが許可されておらず、誤り訂正コード（ＥＣＣ）パリティメモリを有し、データパス復旧を有する。当業者であれば、ＲＴＯＳ  １２６が他の各種機能を備え得ること、そしてそれが本発明の精神および範囲内であることを容易に認識する。
【００２２】
少なくとも１つのデバッグ層１３０は、非プロダクションコードを有し、心電図（ＥＣＧ）をシミュレーションし、温度、抵抗、微小電気機械システム（ＭＥＭＳ）、および血酸素飽和を測定し、ＲＦスタックをシミュレーションし、エラー・インジェクション・モードのサイズ目標が１０キロバイト未満であり、フルモードのサイズ目標が６４キロバイト未満であるエラー・インジェクション・モジュールを有することを含むがそれらに限定されない各種機能を備えている。当業者であれば、少なくとも１つのデバッグ層１３０が他の各種機能を備え得ること、そしてそれが本発明の精神および範囲内であることを容易に認識する。
【００２３】
ＳＦＣＭプロトコル１２２は、感知システム１０２をフロントエンドシステム１０４とペアにする双方向通信プロトコルである。ＳＦＣＭプロトコル１２２は、状態認識リンクを有し、データ通信経路を確立しながら失敗と再試行ができ、複数のセンサをサポートし、同じ種類のセンサの別バージョンをサポートするがそれらに限定されない各種機能を備えている。当業者であれば、ＳＦＣＭプロトコル１２２が他の各種機能を備え得ること、そしてそれが本発明の精神および範囲内であることを容易に認識する。
【００２４】
フロントエンドシステム：
少なくとも１つのＦＣＭタスク１５０が、少なくとも１つのＳＣＭタスク１３６およびＢＣＭプロセス１７２と通信し、通信に冗長性を有し、ペアリングステータスが取得できない、あるいは信頼できない場合に警報が出るようにフェイルセーフ機構と協動し、センサデータをバッファリングし、ＢＣＭプロセス１７２データコマンドをバッファリングし、場所と日付／時間情報を記録するがそれらに限定されない各種機能を含む。当業者であれば、少なくとも１つのＦＣＭタスク１５０が他の各種機能を備え得ること、そしてそれが本発明の精神および範囲内であることを容易に認識する。
【００２５】
ＦＢＣＭプロトコル１４２は、フロントエンドシステム１０４をバックエンドシステム１０６とペアにする双方向通信プロトコルである。ＦＢＣＭプロトコル１４２は、状態認識リンクを有し、データ通信経路を確立しながら失敗と再試行ができ、汎用モードで複数の物理リンク（ＳＭＳまたはデータ）をサポートし、可変長データを記録するがそれらに限定されない各種機能を備えている。当業者であれば、ＦＢＣＭプロトコル１４２が他の各種機能を備え得ること、そしてそれが本発明の精神および範囲内であることを容易に認識する。
【００２６】
デバイスドライバ１４６は、データ通信経路がフロントエンドシステム１０４の実際の基底アーキテクチャおよびＯＳプラットフォーム１４４から確実に独立させるための物理リンク・ドライバ・マッピング層を有し、かつ統一ペイロードアーキテクチャを有するがそれらに限定されない各種機能を備えている。当業者であれば、デバイスドライバ１４６が他の各種機能を備え得ること、そしてそれが本発明の精神および範囲内であることを容易に認識する。
【００２７】
少なくとも１つの診断層１４８は、非プロダクションコードを有することと、デバイスドライバ１４６プロトコルをシミュレーションすることと、ＵＩ  １５４をシミュレーションすることと、より高次のプロトコルで行われる少なくとも１つのＦＣＭタスク１５０をシミュレーションすることと、エラーインジェクションを有することと、を含むがそれらに限定されない各種機能を備えている。当業者であれば、少なくとも１つの診断層１４８が他の各種機能を備え得ること、そしてそれが本発明の精神および範囲内であることを容易に認識する。
【００２８】
ＵＩ  １５４は、ユーザエクスペリエンスを高めることと、健康監視システム１００に合わせてカスタマイズされたグラフィックおよびフローモジュールを有することと、ユーザ注釈を有することと、ログイン手続きを有することと、そのグラフィック表示をバックエンドシステム１０６からプログラムできるようにすることと、を含むがそれらに限定されない各種機能を備えている。当業者であれば、ＵＩ  １５４が他の各種機能を備え得ること、そしてそれが本発明の精神および範囲内であることを容易に認識する。
【００２９】
バックエンドシステム：
ＢＭＣプロセス１７２は、フロントエンドシステム１０４から安全なデータを受信することと、データおよびデータ通信経路を認証および暗号化することと、データをまとめることと、送信メッセージを送ることと、フロントエンドシステム１０４または感知システム１０２とのデータ通信経路接続を開始することと、を含むがこれらに限定されない各種機能を備えている。当業者であれば、ＢＭＣプロセス１７２が他の各種機能を備え得ること、そしてそれが本発明の精神および範囲内であることを容易に認識する。
【００３０】
ＵＩ  １７６は、感知情報または顧客情報をグラフィカルに表示することと、ログイン手続きを有することと、ユーザ注釈を有することと、ユーザプロファイルとアカウント情報とを有することと、一時的または試験期間をサポートすることと、管理手続を有することと、レポート機能を有することと、を含むがそれらに限定されない各種機能を備えている。当業者であれば、ＵＩ  １７６が他の各種機能を備え得ること、そしてそれが本発明の精神および範囲内であることを容易に認識する。
【００３１】
ＨＷプラットフォーム１６２は、２４時間連続で動作することと、サプライヤ内およびサプライヤ間で冗長な地理的システムを有することと、を含むがそれらに限定されない各種機能を備えている。当業者であれば、ＨＷプラットフォーム１６２が他の各種機能を備え得ること、そしてそれが本発明の精神および範囲内であることを容易に認識する。
【００３２】
ＯＳ  １６４は、独立したＯＳプラットフォームをサポートすることと、を含むがそれに限定されない各種機能を備えており、ＤＢＡ  １６６は、独立したデータベース管理アーキテクチャを有することと、スケーラブルであることと、フォールトトレラントであり、かつ分散していることと、何百万ノードをサポートすることと、を含むがそれらに限定されない各種機能を備えている。当業者であれば、ＯＳ  １６４およびＤＢＡ  １６６が他の各種機能を備え得ること、そしてそれが本発明の精神および範囲内であることを容易に認識する。
【００３３】
ＣＯＭＭチャネルドライバ１６８は、ＨＷプラットフォーム１６２から独立しているフロントエンドシステム１０４への物理リンクをサポートすることを含むがそれに限定されない各種機能を備えており、少なくとも１つの診断層１７０は、隔離およびシミュレーション機能を有することを含むがそれに限定されない各種機能を備えている。当業者であれば、ＣＯＭＭチャネルドライバ１６８および少なくとも１つの診断層１７０が他の各種機能を備え得ること、そしてそれが本発明の精神および範囲内であることを容易に認識する。
【００３４】
データ通信経路：
健康監視システム１００は、ＳＦＣＭプロトコル１２２およびＦＢＣＭプロトコル１４２という２組のプロトコルを通じて、感知システム１０２からバックエンドシステム１０６にデータを伝達する。図２は、一実施形態にかかるデータ通信経路のブロック図２００を表している。ブロック図２００では、データは少なくとも１つのＳＣＭタスク２３６によって測定され、少なくとも１つのＳＣＭタスク２３６を少なくとも１つのＦＣＭタスク２５０に接続するＳＦＣＭプロトコル２２２にデータが伝達される。
【００３５】
その結果、ＳＦＣＭプロトコル２２２により、少なくとも１つのＦＣＭタスク２５０が、少なくとも１つのＳＣＭタスク２３６の状態と基底の感知システム１０２によって測定されたデータとを認識することができる。このデータは、少なくとも１つのＦＣＭタスク２５０に伝達され、ひいてはＦＢＣＭプロトコル２４２に、最終的にはＢＣＭプロセス１７２へと伝達されて、感知システム１０２からバックエンドシステム１０６へのデータ通信経路を完成させる。ＢＣＭプロセス１７２は、基底のシステムアーキテクチャによって作成されたさまざまな経路からデータを受信することができる。したがって、バックエンドシステム１０６も、感知システム１０２およびフロントエンドシステム１０４の両方の状態を認識する。
【００３６】
少なくとも１つのＳＣＭタスク２３６によってデータが測定された後、そのデータは、暗号化され、セキュリティが確保された上でＳＦＣＭプロトコル２２２へと伝達される。そのため、この安全なデータは、健康監視システム１００内の基底システムの各種層に表示されない。当業者であれば、データのセキュリティを確保するのに各種暗号化手法を用いることができ、それが本発明の精神および範囲内であることを容易に認識する。
【００３７】
上記のとおり、本システムおよび方法により、フロントエンドシステムに論理的に接続し、ひいてはバックエンドシステムに接続して、障害物のないデータ通信経路を有する、健康監視システムの基底アーキテクチャから独立した健康監視システムを作成する複数の感知システムが可能となる。状態認識方法と状態認識リンクとを感知システム、フロントエンドシステム、およびバックエンドシステムに実装することにより、本発明にかかるシステムおよび方法は、相当数のアクティブユーザをサポートできる、非常に信頼性が高く、フォールトトレラントでスケーラブルな健康監視システムを達成する。
【００３８】
健康監視システムおよび方法を開示した。本明細書に記載された実施形態は、完全ハードウェア実装、完全ソフトウェア実装、あるいはハードウェア要素およびソフトウェア要素の両方を含む実装という形態をとることができる。実施形態は、アプリケーションソフトウェア、ファームウェア、常駐ソフトウェア、マイクロコードなどを含むが、これらに限定されないソフトウェアで実装され得る。
【００３９】
本明細書に記載されたステップは、任意の適切なコントローラまたはプロセッサと、任意の適切な記憶装置箇所またはコンピュータ可読媒体に記憶され得るソフトウェアアプリケーションと、を用いて実施され得る。ソフトウェアアプリケーションは、本明細書に記載された機能をプロセッサが受信器に実行させることを可能にする命令を提供する。
【００４０】
さらに、実施形態は、コンピュータまたは任意の命令実行システムによって、あるいは接続して使用されるプログラムコードを提供するコンピュータ使用可能な媒体またはコンピュータ可読媒体からアクセス可能なコンピュータプログラム製品という形態をとり得る。説明の便宜上、コンピュータ使用可能な媒体またはコンピュータ可読媒体は、命令実行システム、機器、または装置によって、あるいは接続して使用されるプログラムを包含、記憶、伝達、伝播、あるいは移送できる任意の機器であり得る。
【００４１】
媒体は、電子システム、磁気システム、光学システム、電磁システム、赤外線システム、半導体システム（または機器もしくは装置）、伝播媒体であり得る。コンピュータ可読媒体の例としては、半導体またはソリッド・ステート・メモリ、磁気テープ、着脱可能型コンピュータディスケット、ランダム・アクセス・メモリ（ＲＡＭ）、読み出し専用メモリ（ＲＯＭ）、硬質磁気ディスク、光ディスクなどがある。現行の光学ディスク例としては、ＤＶＤ、コンパクトディスク読み出し専用メモリ（ＣＤ−ＲＯＭ）、読み書き可能コンパクトディスク（ＣＤ−Ｒ／Ｗ）などがある。
【００４２】
本発明について、記載の実施形態に従って説明してきたが、当業者であれば、これらの実施形態の変形例が存在し得ること、そしてそれらの変形例が本発明の精神および範囲内であることを容易に認識するであろう。したがって、添付の請求項の精神および範囲を逸脱しない限り、当業者によって多くの改変が行われ得る。
【図１】
0005928927.tif 000002
【図２】
0005928927.tif 000003